Podtech/llm-jp-corpus-v4-ja_patent huggingface dataset:
(57)【要約】【課題】  水道水の水流と水圧だけで、水、米、容器に触れないで洗米可能な容器を提供する。【解決手段】    容器の形状をＶ字横長にすることによって、谷底と左右両端部で洗米され、また排水部を容器中央上部に設けるとによって、米と分離されたとぎ汁は、目詰まりもおこさずに排水される。【選択図】図１
2013165946.tif 000002
【特許請求の範囲】
【請求項１】
蓋のない横に長い長方形の容器であって、短手からみた側面の形状は、容器の上面から底面に向かって一定の垂直面を有し、その端部より底面にむけてＶ字型を形成する。長手垂直面中央部には、排水孔と凹みを設けて，排水網とカバーを装着し、Ｖ字型部には、支脚を設ける。
以上の特徴を持った洗米器。
【発明の詳細な説明】
【技術分野】
【０００１】本発明は、蛇口から出る水道水の水流と水圧だけで、洗米できる容器に関するものである。
【背景技術】
【０００２】従来は、シンクに置いたままで、水、米、容器に手も触れずに、蛇口から出る水道水の力だけで、洗米と排水が可能な単体の洗米器はなかった。
【先行技術文献】
【０００３】特許、実用新案情報を調べてはみたが、本発明に近い先行技術文献は見当たらない。
【発明の概要】
【発明が解決しようとする課題】
【０００４】第１に、水道水の水流と水圧により米が自動的に撹拌され一様に洗米されること。
第２に、蓋の無い容器から米と水が溢れないように、排水網の位置と形状、大きさを、特定すること。
第３に、シンクの蛇口の中央真下にセット可能な形状にすること。
第４に、以上の課題を考慮して、性能よく、使いやく、量産可能で実用的なコストで提供できこと。
【課題を解決するための手段】
【０００５】［図１］）に於いて、横に長いＶ字壁５を形成し、長手中央上部に垂直な排水網３とカバー２を特設し、下部に支脚４を設けた容器とする。
【発明の効果】
【０００６】この発明により、水、米、容器にも手を触れず、蛇口から直接出る水道水の水流と水圧だけで、洗米が可能となり、めんどうだ、手が冷たい、肌荒れする、つけ爪がじゃまだ、腰が痛い等の悩みが解消される。
又、洗米中にシンクを離れることもでき、忙しい中、貴重な時間１〜２分を有効に使える。
【図面の簡単な説明】
【０００７】
【図１】本発明の洗米器の洗米状態を示す図で、図（イ）は上面図、図（ロ）はＡ−Ａ断面図、図（ハ）はＢ−Ｂ断面図である。
【図２】洗米器の組立図の全体図で、（イ）は上面図、（ロ）は正面図、（ハ）はＡーＡ断面図である。
【図３】洗米器の組立図の全体図で、（イ）は上面図、（ロ）は側面図、（ハ）はＢーＢ断面図である。
【図４】洗米器のＶ字容器本体の全体図で、（イ）は上面図、（ロ）はＡーＡ断面図、（ハ）はＢーＢ断面図である。
【図５】洗米器のカバーの全体図で、（イ）は正面図、（ロ）は下面図、（ハ）は裏面図である。
【図６】洗米器の排水網の全体図で、（イ）は正面図、（ロ）は下面図である。
【図７】洗米器の分解図である。
【発明を実施するための形態】
【０００８】本発明は分解図［図７］で示されているように３部品で構成される。それぞれにＶ字容器本体１、カバー２、排水網３である。
【０００９】Ｖ字容器本体１の形状は、水道水の水流と水圧で、容器谷底７に溜った米を左右に押し退けながら撹拌し、さらに、側壁６に沿って撹拌されながら水面１０に到達した米を狭い谷底７に集めるために、Ｖ字型の長方形状とする。又、長手中央上部壁には、排水網３とカバー２を取り付ける凹みと、排水孔を、下部には支脚４を設ける。
【００１０】排水網３は、注水量が排水量を上回らない面積を確保し、且つ洗米中に米による目詰まりを起こさないものとする。
【００１１】カバー２は、中央にＶ字容器本体１と同形状の排水孔を設け、裏面外周には本体に接着の為のリブを回す。
【００１２】本発明の使用に際しては、
［図１］に於いて、米１２の入れられたＶ字容器本体１に注水された水道水９は、谷底７を這うように左右に分かれ、側壁６に沿って上昇する。水面１０に達した水は、自然な流れによって排水網３付近に寄せられ、とぎ汁１１として排水される。米１０はこの水力によって谷底７で左右に押退けられ、側壁６付近で撹拌、洗米される。
排水は上部中央で、撹拌、洗米は谷底７、側壁６付近と別々な場所でおこなわれるので、米による網の目詰まりも起こさずに一連の動作が注水だけで連続して行われる。
【符号の説明】
【００１３】  １  Ｖ字容器本体
２  カバー
３  排水網
４  支脚
５  Ｖ字壁
６  側壁
７  谷底
８  蛇口
９  水道水
１０  水面
１１  とぎ汁
１２  米
１３  シンク底
【図１】
2013165946.tif 000003
【図２】
2013165946.tif 000004
【図３】
2013165946.tif 000005
【図４】
2013165946.tif 000006
【図５】
2013165946.tif 000007
【図６】
2013165946.tif 000008
【図７】
2013165946.tif 000009
(57)【要約】      （修正有）【課題】従来の永久脱毛にない効果を生む。【解決手段】永久脱毛の為に、毛抜き又は毛抜器でほぼ毛根だけの状態にして脱毛レーザー３を当てて永久脱毛を図る。【選択図】図１
2013165948.tif 000002
【特許請求の範囲】
【請求項１】
［０００１］
毛抜きや毛抜き器でムダ毛を抜きほぼ毛頭だけの状態にして脱毛レーザーを浴びせて永久脱毛するレーザ脱毛方法発明
【発明の詳細な説明】
【技術分野】
【０００１】本発明は、永久脱毛に関するものである。
【背景技術】
【０００２】従来の永久脱毛は時間と資金がかかり、コストパフォーマンスが求められていたレーザ脱毛器。
【発明が解決しようとしている課題】
【０００３】従来の永久脱毛法より、より安く早く「永久脱毛」することにより課題を解決するレーザ脱毛器。
【悩みを解決する手段】
【０００４】毛抜き、又は毛抜き器で毛根に近いところでレーザーをあてて永久脱毛するレーザ脱毛器。
【発明の効果】
【０００５】本発明は永久脱毛の早安楽を効果するレーザ脱毛器。
【発明を実施するための最良の形態】
【０００６】
【実施例】
【０００７】（１）は、肌
（２）は、毛根と毛
（３）は、脱毛レーザー器
【図面の簡単な説明】
【０００８】
【図１】
【符号の説明】
【０００９】（１）は、肌
（２）は、毛根又は毛
（３）は、脱毛レーザー
【図１】
2013165948.tif 000003
【手続補正書】
【提出日】平成24年4月19日(2012.4.19)
【手続補正１】
【補正対象書類名】明細書
【補正対象項目名】０００８
【補正方法】変更
【補正の内容】
【０００８】
【図１】肌（１）のムダ毛（２）を毛抜きで毛抜器でムダ毛を抜きまず毛頭だけの状態にして脱毛レーザ（３）を浴びせて永久脱毛するレーザ脱毛方法発明
(57)【要約】      （修正有）【課題】歩行時の転倒骨折事故防止のため腕を振り、靴のつま先を上げ踵から着地、躓かない正しい歩行姿勢を保持、更にその姿勢を着装者本人が確認出来る用具を提供する。【解決手段】２個の球体２の入ったパイプの両端を閉じ、このパイプを腕に装着図し、その腕に巻きつけるベルトに取り付けるパイプの角度は地面に対し水平より下方前傾４０度〜４５度が最適であり、腕を前方に振り上げ止めた時パイプの後方下部にあった球体２は慣性の法側により前方上部の壁に当たり衝突音と振動を装着者に伝える。靴側部に取り付けるパイプの取り付け角度は、前記と同じ地面に対し水平より下方前傾４０度〜４５度が最適である。正しい歩行姿勢で靴のつま先を上げ、踵から着地するとパイプの前方下部にあった球体２は後方壁に当たり衝突音と振動を発生し、装着者本人が正しい歩行姿勢を音と振動で確認できる歩行姿勢確認具。【選択図】図１
2013165943.tif 000002
【特許請求の範囲】
【請求項１】
２個の球体の入ったパイプの両端を閉じ、このパイプを腕用取り付けベルトにより地面に対し水平より下方前傾４０度〜４５度の角度で固定し、装着者に歩行姿勢が正しいことを伝えることを特徴とする歩行姿勢確認用具。
【請求項２】
靴側部に２個の球体の入ったパイプの両端を閉じ、このパイプを地面に対し水平より下方前傾４０度〜４５度の角度で固定し、装着者に歩行姿勢が正しいことを伝えることを特徴とする歩行姿勢確認用具。
【発明の詳細な説明】
【技術分野】
【０００１】本発明は歩行時における最適な姿勢を保持し歩行運動の効果を高め、躓いて転倒しない正しい歩行姿勢確認用具に関するものである。
【背景技術】
【０００２】自分の歩行姿勢を客観的に確認する方法には、他人に助言をもらうか、鏡に写すか、ビデオ等の映像によって確認する方法がある。
【先行技術文献】
【０００３】
【特許文献１】特開２００９−２７９３６５
【特許文献２】特開２００６−２２３４４３
【発明の概要】
【発明が解決しようとする課題】
【０００４】歩行時の転倒骨折事故防止のため腕を振り、靴のつま先を上げ踵から着地、躓かない正しい歩行姿勢が保持出来、更にその姿勢を着装者本人が確認出来る用具を提供するものである。
【課題を解決するための手段】
【０００５】以下本発明の課題を解決する為に次の構成とする。
２個の球体の入ったパイプ１の両端を閉じ、このパイプ１を腕に装着３図、その腕に巻きつけるベルトに取り付ける角度は地面に対し水平より下方前傾４０度〜４５度が最適であり、腕を前方に振り上げ止めた時、パイプ１後方下部にあったビー玉２は慣性の法則でパイプ１前方の壁に当たり衝突音と振動が発生する。次に腕を後方に振り上げ止めた時、パイプ前方下部にあった球体は慣性の法則でパイプ１後方上部の壁に当たり衝突音と振動を発生し装着者本人が正しい歩行姿勢を音と振動で確認できる歩行姿勢確認用具。
正しい歩行姿勢でないと音も振動もない。【０００６】次に靴側部に装着図４その取り付ける角度は上記腕に取り付けるものと同じ、地面に対し水平より下方前傾４０度〜４５度が最適である。
つま先を上げ踵から着地するとアルミパイプ１内のビー玉２は慣性の法則でアルミパイプ後方の壁に当たり衝突音と振動を発生し、その直後につま先が着地するので再度パイプ１内の球体２は前方の下部壁に当たり衝突音と振動を発生し装着者本人が正しい歩行姿勢を音と振動で確認できる歩行姿勢確認用具。正しい歩行姿勢でないと音も振動もない。
以上の構成よりなる歩行姿勢確認用具。
【発明の効果】
【０００７】本発明品を装着し腕を振り靴のつま先を上げ、踵から着地する正しい歩行姿勢で歩行運動を行った場合、装着者本人に衝突音と振動が伝わり、その歩行姿勢を確認出来る。
【図面の簡単な説明】
【０００８】
【図１】２個の球体入りパイプの斜視図
【図２】上記１を腕に装着する巻きベルトに接着固定した斜視図
【図３】上記１を上記３により腕に装着した図
【図４】上記１を靴側部に接着固定した図
【図５】腕に装着した歩行姿勢と上記１の位置を示す図
【図６】靴に装着した歩行姿勢と上記１の位置を示す図
【発明を実施するための形態】
【０００９】  本発明の実施の形態を図により説明する。
２個の球体の入ったパイプ１は重量１７ｇ、直径１３ｍｍ、内径１２ｍｍ長さ７５ｍｍ、球体直径１０ｍｍで構成されているが、パイプ内径の７割前後の球体が最良であり又その素材、重量にはこだわらない。２個球体の入ったパイプ１を腕に巻きつけるベルトに図２のように４０度〜４５７度の角度で取り付けて図３のように腕（手首）に装着する。この取り付けベルトは腕に巻きつけやすく固定出来るものが良い。次に上記２個の球体の入ったパイプ１を靴側部に図４のように４０度〜４５度の角度で動かないように接着固定して取り付ける。この取り付け角度が４０度より小さいと、パイプ１内の球体２は小さな前後運動にも反応してしまい無駄な衝突音で混乱してしまう。又この取り付け角度が４５度より大きいとパイプ１内の球体は過大な歩行運動力でないと慣性の法則に反応しない。そのため、非力な歩行運動装着者は４０度に近い取り付け角度で、より力強く歩行運動を行う着装者にはより４５度に近い取り付け角度が慣性の法則を応用出来るものとなる。
【実施例】
【００１０】  腕・足の歩行動作は左右同時に行われるので足（靴）腕を個別に説明する。
図５（Ａ）右腕を前方に引き上げ、止めた時パイプ１内の球体２は慣性の法則により前方の壁に当たり衝突音と振動を着装者に伝わる。
図５（Ｂ）右腕が後方に引かれる途中には球体２はパイプ１内下部に留まり衝突音も振動も無い。
図５（Ｃ）右腕が後方に引かれ止まった時、パイプ１内の下部にあった球体２は慣性の法則により、パイプ１内上部の壁に当たり衝突音と振動が装着者に伝わる。
図６（Ａ）右足を蹴り出す時球体はパイプ１内の下部に留まって衝突音も振動も無い。
図６（Ｂ）右足が前方に向かう途中には球体２はパイプ１内下部に留まり、衝突音も振動も無い。
図６（Ｃ）右足がつま先を上げ踵から着地した時パイプ１内の球体２は慣性の法則によりパイプ１の後方の壁に当たり衝突音と振動を発生し、直ぐにつま先も着地するとパイプ１内の球体２は前方下部の壁に当たり衝突音と振動が装着者に伝わる。
【符号の説明】
【００１０】１  球体入りパイプ
２  球体
３  腕用取り付けベルト
【図１】
2013165943.tif 000003
【図２】
2013165943.tif 000004
【図３】
2013165943.tif 000005
【図４】
2013165943.tif 000006
【図５】
2013165943.tif 000007
【図６】
2013165943.tif 000008
(57)【要約】【課題】省スペースで多様な洗濯物を一度に干すことのできる洗濯物干しラックを開発することが課題である。【解決手段】ラックの片側の支柱に枠型物干し、パラソル型物干し等を設置する。  同時に両側の支柱を接続する横棒に一定の間隔を持つハンガー掛けを設置することにより、多様な洗濯物をその洗濯物の性質に応じた干し方を可能にして、なおかつ狭い空間で多くの洗濯物を同時に干せるようになる。【選択図】図５
2013165945.tif 000002
【特許請求の範囲】
【請求項１】
左右に備えたラックベースの一方に二本の支柱とこの支柱を連結する部材を備え、もう一方に一本の支柱を備え、二本の支柱を連結した部材ともう一方のベースに装着された支柱を横棒で連結した三本支柱のラック
【請求項２】
一本の支柱を持つ側のベースに立つ支柱に、パラソル型等のラックを備えた三本支柱のラック
【請求項３】
一本の支柱を持つ側のベースに立つ支柱に、数個の突起棒を備えた三本支柱のラック
【請求項４】
二本の支柱と一本の支柱を繋ぐ横棒に、等間隔でハンガー等を掛けるこのできる部材を備えた三本支柱のラック
【発明の詳細な説明】
【技術分野】
【０００１】  本発明は、洗濯物の物干し具に関するものである。
【背景技術】
【０００２】  室内や物干し竿を使用しないで洗濯ものを干すことのできるラックである。【０００３】  通常のこのタイプのラックを用いて物干しを行う場合は、二本支柱のもの、または四本支柱のものが使用されていた。二本支柱のものは安定性に欠け、四本支柱のものは横棒が前後に分かれるため、干しにくく、ハンガー等に掛けた物干し用としての限定的な使用に限られ、洗濯もの干しとして利用されない傾向にあった。
【発明の概要】
【発明が解決しようとする課題】
【０００４】省スペースで、多様な洗濯ものを干すことの出来る洗濯ものラックを開発することで、多様な用途に対応することである。【０００５】物干し竿等の高い位置ではなく、一般の家庭の主婦にも簡単で機能的に物干し作業を行えるような物干し具を開発・提供することである。
【課題を解決するための手段】
【０００６】大きな高さを持たず、タオル等の平面的なものを干すためのバーや、衣類等の形状を保持するためのハンガー機能を備えた部材等を物干し用に一体化させたラックを開発することにより、狭い空間で簡単に、かつ多様な洗濯物を干せるようにすることである。
【図面の簡単な説明】
【０００７】
【図１】は一般に販売されている二支柱のパイプハンガー
【図２】は一般に販売されている四支柱のパイプハンガー
【図３】は新開発の三支柱のパイプハンガー
【図４】は三支柱の一支柱にパラソル型物干しと枠型物干しを装着した三支柱パイプハンガー
【図５】三支柱の一支柱にパラソル型物干しを複数備えた三支柱パイプハンガー
【図６】は三支柱の一支柱にもの掛け用突起物を備えた三支柱パイプハンガー
【符号の説明】
【０００８】  １．ベースと接続された一支柱
２．ベースと接続された二支柱の一支柱
３．ベースと接続された二支柱のもうひとつの一支柱
４．ベースと接続された一支柱とベースと接続された二支柱を結ぶ横棒
５．ベースと接続された二支柱を繋ぐ接続具
６．支柱を接続するベース
７．枠型物干し
８．パラソル型物干し
９．もうひとつのパラソル型物干し
１０、もの掛け用突起物
１１、一定の間隔を持つハンガー掛け
【発明を実施するための形態】
【実施例】
【０００９】図４に示されるように、ベースに接続された１支柱に７枠型物干しを取り付け、小物類等が干せるようにすると同時に、８パラソル型物干しを設置することによりやや大きめの洗濯物を多数干すことも可能にする。【００１０】図５においては、複数の８．９パラソル型物干しを取り付け、布状の洗濯物を干すとともに、二本の２．３支柱と１支柱を接続する横棒に１１一定間隔を持つハンガー掛け設置することにより、ハンガーを使用し形状保持が要求されるシャツ等を干すことが可能になる。【００１１】図６においては、１支柱に複数の１０もの掛け用突起物を設置して、ハンガー使用で洗濯物が重ならないようにすることにより、乾燥時間を短縮させる。【００１２】図４、図５  図６で示す通り、物干しラックとしての安定度を高めるため、片側には二本の支柱を持つ形状とする。
【図１】
2013165945.tif 000003
【図２】
2013165945.tif 000004
【図３】
2013165945.tif 000005
【図４】
2013165945.tif 000006
【図５】
2013165945.tif 000007
【図６】
2013165945.tif 000008
(57)【要約】      （修正有）【課題】乳房、乳頭、乳房付近のリンパ線等に対し任意の箇所を手の感触で触ることにより小さな異物（初期ガン）等を触診により早期発見する装置を提供する。【解決手段】薄いフイルムシートで１枚ないし複数枚重ねた袋状の装置であり、使用者の好みに合わせ触診感度を１枚、２枚、３枚など複数枚を重ねた上で触診感度を任意で選択できる。異物がない場合は手の指先の感覚にはサラットした間隔だけで何も伝わらず、異物がある場合は手にコツンとした感覚が伝わる機能が確保される。【選択図】図１
2013165938.tif 000002
【特許請求の範囲】
【請求項１】
本発明の装置は薄いフイルムシートを複数枚用い触診部を２枚に重ねた箇所に空間を持たせた部分をベースとし主要箇所に対し熱シールによる溶着後、触診する箇所の感度を増幅する目的により複数枚のフイルムシートを用いることにより１枚目のフイルムシートでの触診及び２枚目、３枚目と必要に応じ任意の枚数での触診ができ熱溶着によりフイルムシートをシールした複数枚重ねた袋状の乳がん指圧力触診パットによる機能を持つことを目的としている。
【請求項２】
前記乳がん指圧力触診パットは袋部の開口口から手を入れベース部を触診の対象部分にあて、指先での触診により任意の箇所にフイルムシートを介して触診する場合は指先でこする様に触診することができ素手により触診する場合は溶着部の任意の開口部と開口穴部を複数箇所有していることによりフイルムシートを介した場合及び素手による直接触診することができ、長時間による触診により体温から放出される体熱をフイルムシートから外に排出する目的の開口部、開口穴を兼用し蒸れも防ぐ機能を有する。
任意で触診の感度を自在に選択できるフイルムシートで複数の階層を有することを特徴とする請求項１乃記載の乳がん指圧力触診パット。
【請求項３】
本発明の装置は薄いフイルムシートのベースに対し１枚目のフイルムシートないし複数枚を重ねた袋状のフイルムシートを有した装置であり使用者の好みに合わせることによる触診の感度を１枚目のフイルムシートにより触診するか２枚目及び３枚目など複数の触診の選択ができ、触診中でもフイルムシートを介さず素手により開口穴を介し直接指先による触診の選択もでき各種の機能を組み合わせたことにより容易に目的物を発見することができる機能を持つことを特徴とする請求項２乃記載の乳がん指圧力触診パット。
【請求項４】
本装置は薄いフイルムシートを複数枚用いて使用するが同素材には限定せず感知度を向上させるために同素材以外の別の素材同士の長所を選択し同素材同士にこだわらないことを特徴とし形状は半楕円形でもグローブ型でもこだわらず、指と指の間に仕切を設けず触診の範囲を広く触診できることを特徴としフイルムシートを積層したフイルムシートとし請求項３乃記載の乳がん指圧力触診パット。
【発明の詳細な説明】
【技術分野】
【０００１】本発明は、触診による早期乳がんを発見する簡易キットに関するものである。
【背景技術】
【０００２】
【先行技術文献】
【特許文献】
【０００３】
【特許文献１】
【特許文献２】
【非特許文献】
【０００４】
【非特許文献１】本発明は、乳房、乳頭、乳房付近のリンパ線等に対し任意の箇所を手の感触で触ることにより小さな異物（初期ガン）等を触診により早期発見する装置に関するものである。
【発明の概要】
【発明が解決しようとする課題】
【０００５】上記の問題を解決するために本発明の装置は薄いフイルムシートで１枚ないし複数枚重ねた袋状の装置であり、使用者の好みに合わせ触診感度を１枚、２枚、３枚など複数枚を重ねた上で触診感度を任意で選択できる各種の機能を組み合わせたことにより簡単に目的物を発見することができ、素手による触診も可能である開口口、開口穴を有する機能を持つことを目的としている。
【問題を解決するための手段】
【０００６】上記の目的を達成するために本発明に係る各所に複数枚のフイルムを重ねることにより随時フイルム枚数が選択できることにより個人差による触診の感度を選択でき、また触診の箇所に対し１重での触診２重での触診及び任意の枚数を重ねたことより早期発見が容易になる装置が提供できる。
【発明の効果】
【０００７】１、複数のフイルム層を有し任意の層に手を入れ手の指先の圧力により触診することで異物がある場合は、異物に対しフイルムを介し指先の感覚に異物が伝わりフイルム同士の摩擦により増幅作用効果が生じ鮮明に異物を早期に発見することができる。
２、異物がない場合は手の指先の感覚にはサラットした間隔だけで何も伝わらず、異物がある場合は手にコツンとした感覚が伝わる機能が確保され簡易診断としての十分な機能がある。
【図面の簡単な説明】
【０００８】
【図１】断面図  乳がん指圧力触診パット全体図
【図２】断面図  乳がん指圧力触診パット断面図
【発明を実施するための形態】
【０００９】
【実施例１】
【００１０】以下、添付図面を参照しながら、本発明の実施の形態を詳細に説明する。【００１１】図１、図２においては一体化したことにより任意のフイルムシートの階層に手を入れ主目的の箇所を触診することにより異物があれば的確に指先に伝わる。
【産業上の利用可能性】
【００１２】早期発見により病原に対処できる機能を有す。
【符号の説明】
【００１３】１      乳がん指圧力触診パット本体
２      パット本体からの体温熱を放出する開口部及び素手による触診部
２ａ    パット本体からの体温熱を放出する開口穴部及び素手による触診部
３      乳がん指圧力触診パット下部ベース部
３ａ    乳がん指圧力触診パット１枚目
３ｂ    乳がん指圧力触診パット２枚目
３ｃ    乳がん指圧力触診パット３枚目
３ｄ    乳がん指圧力触診パット４枚目
４      開口部  手の挿入口
４ａ    触診可能の範囲
５      触診可能の範囲
６      ベースの空間部
１０    溶着部
【図１】
2013165938.tif 000003
【図２】
2013165938.tif 000004
(57)【要約】【課題】軽量なゴミの場合は吸引口が近づくと煽りを受けて吸引力が及ばない上方に舞い上がるなど効率的な吸引捕捉が困難であった。【解決の手段】吸引口の上部に透明で可撓性のある庇板を設け、該庇板の先端に細い突起を設ける。この突起によってゴミの沈殿している面と庇板がほぼ一定の間隔となり庇板の下では吸引口に向かった流れが形成される。吸引口が近づき煽られ飛散する以前に庇板の下にゴミを入れることが出来、効率的な吸引捕捉ができる。【選択図】図１
2013165939.tif 000002
【特許請求の範囲】
【請求項１】
上部に透明で可撓性のある庇板と該板の先端付近の下側に突き出した突起を持つことを特徴とする吸引口。
【発明の詳細な説明】
【技術分野】
【０００１】  節水、省エネルギーの技術に関する。
【背景技術】
【０００２】  従来の掃除機などの吸引口は吸引力に依存してきた。
【先行技術文献】
【特許文献】
【０００３】
【特許文献１】特許公開平０７−３３２５４
【発明の概要】
【発明が解決しようとする課題】
【０００４】  例えば風呂底に沈殿したゴミ類を吸引捕捉排出する場合、吸引力を高めると排水量が増えて節水の効率が落ちる。吸引力が低いと軽量なゴミの場合は吸引口が近づくと煽りを受けて吸引力が及ばない上方に舞い上がるなど効率的な吸引捕捉が困難であった。
【課題を解決するための手段】
【０００５】  吸引口の上部に透明で可撓性のある庇板を設け、該庇板の先端に細い突起を設ける。
【発明の効果】
【０００６】  風呂底のゴミ類を吸引する例で説明すると、吸引口の底部を風呂底に接した状態で、該庇板は可撓性があるため風呂底と吸引口の角度によらず、板の先端に取り付けられた突起によって風呂底とほぼ一定の隙間が出来る。該庇板の下では吸引口へ向かって水流ができるため庇板の下に入ったゴミは舞い上がることなく吸引口へ運ばれる。【０００７】  該庇板の先端に取り付けられた突起は細いためゴミの吸引の障害になりにくく、該庇板は透明でその状況が的確に把握出来るため吸引口操作を効率的に行うことが出来る。
【図面の簡単な説明】
【０００８】
【図１】庇板が設けられた吸引口の見取り図
【図２】庇板の作用の説明図
【発明実施の形態】
【０００９】  図１は該吸引口の見取り図である。塵取りの形をした吸引口本体１にはその後部にゴミなどの吸引物を排出する排出パイプ２が固着されている。吸引口本体１の上部には内側に張り出した縁３がありその下側に透明で可撓性のある庇板４が固着されている。
【００１０】  該庇板４は縁３の端部より先端部分は上下の撓みに自在に対応できる。該庇板４の先端には細長い突起５が設けられている。
【００１１】  図２において、その作用を風呂槽６を例として説明する。入浴後の槽には沈殿したゴミや汚れがありこれを除去するため吸引力７が働いている吸引口本体１を槽６に押し付けながら矢印８の方向に移動する。この動きによって掻きとられた汚れ９や沈殿した浮遊物１０は吸引口本体１より張り出した庇板１１が無い場合煽られ舞い上がって吸引力の及ばない所へ移動してしまう恐れがあるが該庇板１１があることによって吸引排出される。
【産業上の利用の可能性】
【００１２】  吸引力を強くせず吸引捕捉が可能になるため省資源、省エネルギーに貢献できる。
【００１３】  風呂などでは消毒薬を併用することにより、衛生面の向上が図られ沸かし替えの回数が増加し節水が可能になる。
【符号の説明】
【００１４】  １    吸引口本体
２    排出パイプ
３    縁
４    透明で可撓性のある庇板
５    細長い突起
６    風呂槽
７    吸引力
８    矢印
９    掻きとられた汚れ
１０  沈殿した浮遊物
１１  張り出した庇板
【図１】
2013165939.tif 000003
【図２】
2013165939.tif 000004
(57)【要約】【課題】本発明の草刈り機のハンドル位置は、、草刈り機のハンドル位置の変更により体軸が整い、姿勢が安定し作業が容易になる。その結果、竹ぼうきを履くように肘と手首を効率的に使った動作により少ない動きで安定した作業が速く正確にでることにより疲れを最小限に抑えます。【解決手段】この改善策として、草刈り機のバンドル位置を図2のように変更をした。ハンドル位置の改善として草刈り機を構えた時に図３右肘が閉じた状態になる位置に変更した。チップソーが体の体軸の延長線上にある位置でハンドルをねじる角度を変更した（図4、図5）。チップソーが地面に対し水平になりさらに地面のぎりぎりの高さが維持できるようハンドルフックの位置を変更しハンドルブラケットの位置を従来の位置よりエンジン側に移動変更した（図5）【選択図】図１
2013165692.tif 000002
【特許請求の範囲】
【請求項１】
草刈り機のハンドルの位置、角度、長さおよびハンドルブラケットの設置位置と肩掛けフックの位置を特徴とする草刈り機
【発明の詳細な説明】
【技術分野】
【０００１】
本発明は、草刈り機のを操作するときの体軸が体の中心位置になるようにハンドルを改良したものである。
【背景技術】
【０００２】
従来の草刈り機のハンドル位置は、対象・非対象の物もあり従来実用されてきました。
従来のハンドル位置での操作は、チップソーの位置が体軸より左にある為に体をくの字に曲げる姿勢になってしまいます。
【０００３】
しかし、従来のハンドル位置で長時間作業をすると体軸がずれ姿勢がくの字に曲がっている為に足首、膝、腰、背中、肩、首などに疲労をかけることになる。
操作するときは、左の可動範囲が広く右の可動範囲が狭くなるうえ地面に対して水平に操作ができないという欠点があった。
【０００４】
傾斜のついた場所の草刈りでは、非常に不安定な体制を保ちながら操作することになる。
【０００５】
この改善策として、草刈り機のバンドル位置を図１のように変更をした。
ハンドル位置の改善として草刈り機を構えた時に図２のように右肘が閉じた状態になる位置に変更した。
チップソーが体の体軸の延長線上にある位置でハンドルをねじる角度を変更した（図１）。
チップソーが地面に対し水平になりさらに地面の１センチメートルの高さが維持できるようハンドルフックの位置を変更しハンドルブラケットの位置を従来の位置よりエンジン側に移動変更した（図１）。
【発明の概要】
【発明が解決しようとする課題】
【０００６】
解決しようとしている問題点は、従来の草刈り機のハンドル位置では、体軸がずれ疲労しやすくなる点がある。
【課題を解決するための手段】
【０００７】
本発明は、草刈り機のハンドルの幅と角度を変更し、ハンドルブラケットの位置を変更した点が最も主要な特徴とする。
【発明の効果】
【０００８】
本発明の草刈り機のハンドル位置は、、草刈り機のハンドル位置の変更により体軸が整い、姿勢が安定し作業が容易になる。
その結果、竹ぼうきを履く様に体をねじらず肘と手首を効率的に使った動作により少ない動きで安定した作業が速く正確にでることにより疲れを最小限に抑えます。
【図面の簡単な説明】
【０００９】
【図１】図1は、改良草刈り機の図
【図２】図2は、従来の草刈り機製品とハンドルを改良した図です。
【図３】従来型ハンドルと改良型のハンドルを操作する立ち位置の比較
【図４】各箇所の詳細角度、長さを表した図
【図５】各箇所の角度を表した図です。
【図６】従来型ハンドルと改良型ハンドルの操作姿勢を比較する図
【実施例】
【００１０】
従来の草刈り機の部品を改良することにより実現した。
【図１】
2013165692.tif 000003
【図２】
2013165692.tif 000004
【図３】
2013165692.tif 000005
【図４】
2013165692.tif 000006
【図５】
2013165692.tif 000007
【図６】
2013165692.tif 000008
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
草刈り機のハンドルの位置、角度、長さおよびハンドルブラケットの設置位置と肩掛けフックの位置を特徴とする草刈り機
【請求項２】
請求項１の草刈り機のハンドル位置は、草刈り機のチップソーを体の体軸上にセットさせる位置（図3左）を基準にして竹ぼうきを握った状態から両肘を閉めて肘を軸に肘と同じ幅に腕を開く状態からハンドル位置を特定する。グリップの位置は、右手を基準に左手がこぶし一つ分下の位置（図3左）にありさらに左手首が前傾した状態（図3左）の位置が竹ぼうきを握った状態からそのまま肘を軸にして開いた状態と一致する。左手左足が右手右足より前に出る姿勢になることで右足親指に体重がかかり、体の体軸ができます。そうすると竹ぼうきを持って立っている姿勢と同じ姿勢になり、無理のない理想的な自然な立ち方なります。以上の構成から実機を作り角度、長さを調べた結果が図4と図5にあたります。図4の左手側ハンドルの長さは、パイプシャフト中心部から27センチメートルの位置で前方方向に曲がっている。角度は、パイプシャフトを垂直に左ハンドルの角度が75°（図4上）、パイプシャフトを水平に左ハンドルの角度15°（図4下）、ハンドル27センチメートルの位置からグリップまでの角度が110°（図4下）、パイプシャフトとハンドルの前傾角度は20°（図5上）と定義する。図4の右手側ハンドルの長さは、パイプシャフト中心部から7センチメートルの位置で上方に曲がっている。角度は、パイプシャフトを垂直に右手ハンドルの角度が90°（図4上）、パイプシャフトを水平に右ハンドルの7センチメートルの位置からグリップまでの角度115°、パイプシャフトとハンドルの角度を90°と定義する。
【請求項３】
ブラケットの位置は、ハンドルの位置を決めた状態から姿勢を直立したときにできた姿勢をもとにブラケットの位置を決定した。ブラケットの位置は、エンジン部先端からブラケットまで３０センチメートルの位置
【請求項４】
肩掛けフックの位置肩掛けフックの位置は、エンジン先端部から肩掛けフックまで18センチメートルの位置さらにベルトを調節し右腸骨稜の位置に肩掛けフックがくるようにセッティングをする。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
（１）ハンドルをパイプシャフトに対して左側に偏奇させることで、左側ハンドルのグリップが、右手側ハンドルのグリップよりもパイプシャフトから離れて位置している。
（２）左手側ハンドルを前方に曲げ、右手側ハンドルを上方に曲げることで、左手側ハンドルのグリップが、右手側ハンドルのグリップよりも前方側に位置する。右手側ハンドルのグリップよりも前方側に傾斜している。
（３）エンジン先端部から１８センチメートルの位置に肩掛けフックを設置する。
上記（１）〜（３）の構成を備えた草刈り機
(57)【要約】      （修正有）【課題】カムバックサーモン運動と日本の味覚創りのための、サーモン加工食品を提供する。【解決手段】東北大震災復興に対する提坊（土手）におけるカムバックサーモン運動として、河川遡上の鮭（サーモン２）の水煮をあま酒３とともに、日本の味覚として同じ容器に納める加工食品あま酒サーモン（缶詰又はプラスチック容器）１とする。【選択図】図１
2013165654.tif 000002
【特許請求の範囲】
【請求項１】
鮭の食塩水煮をあまざけと同じ容器にパッケージしたあまざけサーモン。
【発明の詳細な説明】
【技術分野】
【０００１】
本発明は、従来のサーモンの缶詰の一つに属するそのまま調理しないで食するあまざけサーモンに関する。
【背景技術】
【０００２】
従来のサーモン缶詰に、サーモン中骨水煮（株）マルハニチロ食品があります。
【発明の概要】
【発明が解決しようとする課題】
【０００３】
米国ロッキーのふもと、カムチャッカ半島のグリスビーのおごちそうの鮭は、人間の食する機会もなく、東北震災復興のキーとなっているカムバックサーモン運動により大量の鮭がマーケットをうるおす事となりますが、保存食としての塩鮭とサーモン水煮の缶詰では再度調理又は料理が必要であるという欠点がある。貿易問題ＴＰＰに関しましても、加工食品としての鮭に関する日本の味覚を確立する必要がある。
【０００４】
本発明は、上記実情に鑑みてなされたものであり、食塩水煮サーモンをあまざけと同じパッケージ（缶詰又はプラスチック容器）に格納した保存食としてその淡い日本の味覚を世界に提供するものである。
【０００５】
上記目的を達成するため発明は、従来の水煮サーモン缶詰にあまざけを混入したパッケージの構成である。
【発明の効果】
【０００６】
本発明により、人工増殖の養殖養魚で秀れた効果を出すサーモンカムバック運動に答えるマーケットとおいしくとれるＤＨＡ・ＥＰＡを調理ずみ食品として自動販売機で老若男女に提供できる。日本のおこめを古米化しない普及効果もある。
【図面の簡単な説明】
【０００７】
【図１】本発明の（缶詰又はプラスチック容器入り）あま酒サーモン。
【発明を実施するための形態】
【０００８】
本発明の実施の形態の一例について図面を参照しながら説明する。
あまざけサーモンは図１に示すように、食塩水煮サーモン２、あまざけ１、を同じパッケージに格納したあまざけサーモン１、で構成される
日本の味覚として世界のマーケットを満たす効果がある。
【符号の説明】
【０００９】
１  あま酒サーモン（缶詰又はプラスチック容器）
２  サーモン
３  あま酒
【図１】
2013165654.tif 000003
(57)【要約】【課題】ラケットのストリングが歪んだ状態を簡便かつ正確に矯正する。【解決手段】板状の材料にラケットの縦横のストリングと同じパターンで底面に向かって幅が徐々に狭まるように設計された溝を設け、この溝に沿ってストリングをはめ込み、徐々に溝の底まで押し込むことによりストリングの側面を溝が押し出すことで、徐々にストリングが本来の位置に矯正される。【選択図】図１
2013165786.tif 000002
【特許請求の範囲】
【請求項１】
板状の材料にラケットの縦横のストリングと同じパターンで底面に向かって幅が徐々に狭まるように設計された溝を設けたこと特徴とするラケットストリング位置矯正器具。
【発明の詳細な説明】
【技術分野】
【０００１】
本発明は、テニスやバドミントン等ラケットにストリングを使用する場合のストリング位置を矯正する器具に関するものである。
【背景技術】
【０００２】
これらラケットのストリングは当初はラケットの縦横方向に規則正しく十文字に交差するように張り巡らされている。しかし、競技中にボールやシャトルをストリング部で打ち返すことにより規則正しく張られていたストリングは徐々にその規則性を失い、部分的に大きく広がり、あるいは狭まり、また直線状から大きく孤を描いた歪んだ状態になり、打撃感を低下させ、ボールやシャトルのコントロールにも影響をあたえることになる。
【０００３】
競技者は通常、競技の途中あるいは終了後にこのストリングの歪みを自らの指で矯正したりしているが、ストリング自体に相当の張力がかかっていることや縦横のストリングが交差していること、複数のストリングがお互いに力を及ぼしていることもあり、本来の位置に簡便かつ正確に矯正することは困難である。
【先行技術文献】
【非特許文献】
【０００４】
【非特許文献１】特願平11-312825  ラケットのガット歪み矯正器具  松浦 浩司
【発明の概要】
【発明が解決しようとする課題】
【０００５】
ラケットのストリングが歪んだ状態を簡便かつ正確に矯正することである。
【課題を解決するための手段】
【０００６】
本発明は、板状の材料に縦横のストリングと同じパターンで、底面に向かって幅が徐々に狭まるように設計された溝を設けたことを最も主要な特徴とする。
【発明の効果】
【０００７】
本発明のラケットストリング矯正器具は、ラケットストリングパターンと同じ溝にラケットストリングの位置を合わせ、溝の底まで押し込むことによりストリングの側面を溝が押し出すことで、徐々にストリングが本来の位置に矯正されるという利点がある。
【図面の簡単な説明】
【０００８】
【図１】図1はラケットストリングの矯正器具の外観図である。
【発明を実施するための形態】
【０００９】
矯正器具を形成するにあたり、板状材料に突起部品を取り付ける方式ではなく、板状材料へ必要な溝を彫りこむことでより安価に、大量に製作することが可能である。
【実施例】
【００１０】
図1はこの矯正器具の外観図である。矯正器具上の溝にラケットストリングをはめ込み、奥まで挿入することで、簡便にかつ正確にストリングの本来の位置に矯正が可能である。
【産業上の利用可能性】
【００１１】
矯正器具上の溝にラケットストリングをはめ込み、奥まで挿入することで、簡便にかつ正確にストリングの本来の位置に矯正することが、万人にとって簡便かつ正確に実施することが可能である。
【符号の説明】
【００１２】
1  矯正器具本体
【図１】
2013165786.tif 000003
(57)【要約】【課題】  表現力豊かな演出が可能な遊技機を提供すること。【解決手段】  ボタンスイッチ１２の光透過性の材料よりなる中空状の操作子１２Ａの内面に透過型スクリーン１２Ｂを配置して、また上皿９内において操作子１２Ａの裏面側には、透過型スクリーン１２Ｂと正対して液晶プロジェクタ２１を配置した。そして液晶プロジェクタ２１により、静止画や動画等の映像を透過型スクリーン１２Ｂに投影するようにした。【選択図】  図２
2013165759.tif 000002
【特許請求の範囲】
【請求項１】
遊技者による操作が可能な操作子を有する操作手段と、
背面に向けて投影された映像を透過させて正面に映し出すスクリーンと、
映像データに基づく映像を前記スクリーンへ投影するプロジェクタと
を備え、
前記操作手段の操作子は光透過性を有しており、
前記スクリーンを前記操作子の裏側に配置して、前記スクリーンに映し出された映像を遊技者が前記操作子の表側から視認可能にした
ことを特徴とする遊技機。
【発明の詳細な説明】
【技術分野】
【０００１】
本発明は、遊技者による操作が可能な操作手段を備えた遊技機に関する。
【背景技術】
【０００２】
パチンコ遊技機に演出ボタン装置を備えること、さらには演出ボタン装置の操作ボタンを発光させることが提案されている（例えば特許文献１参照）。
【先行技術文献】
【特許文献】
【０００３】
【特許文献１】特開２０１０−２８４３５８号公報
【発明の概要】
【発明が解決しようとする課題】
【０００４】
しかし、従来の操作ボタンの発光は、二種類の発光態様を切り替える程度の単調なものでしかなかった。
本発明の目的は、表現力豊かな演出が可能な遊技機を提供することである。
【課題を解決するための手段】
【０００５】
本発明の遊技機は、遊技者による操作が可能な操作子を有する操作手段と、背面に向けて投影された映像を透過させて正面に映し出すスクリーンと、映像データに基づく映像を前記スクリーンへ投影するプロジェクタとを備え、前記操作手段の操作子は光透過性を有しており、前記スクリーンを前記操作子の裏側に配置して、前記スクリーンに映し出された映像を遊技者が前記操作子の表側から視認可能にしたことを特徴とする。
【図面の簡単な説明】
【０００６】
【図１】本発明を実施するための形態に係るパチンコ遊技機の正面図である。
【図２】図１のＡ−Ａ切断面における断面図である。
【発明を実施するための形態】
【０００７】
図１に示すように、パチンコ遊技機１は、パチンコホールの台島に設置される外枠２、外枠２に回動可能に支持された中枠３、中枠３の前方を開放可能に塞ぐ前枠４を備えている。中枠３には遊技盤１０が保持され、遊技盤１０には遊技領域１０Ａが形成されている。遊技領域１０Ａには、図柄組み合わせ遊技を表示する表示装置１１が設けてある。前枠４には、発射球を貯留するための上皿９が設けられている。上皿９には、ボタンスイッチ１２が設けられている。ボタンスイッチ１２は、図柄組み合わせ遊技を盛り上げるために行われる所謂ボタン演出のためのものである。
【０００８】
図２に示すように、ボタンスイッチ１２は、光透過性の材料よりなる操作子１２Ａを有している。操作子１２Ａは復帰バネ１２Ｅによって弾発支持されている。操作子１２Ａは中空状をなしており、操作子１２Ａの内面には透過型スクリーン１２Ｂが配置されている。上皿９内において操作子１２Ａの裏面側には、透過型スクリーン１２Ｂと正対して液晶プロジェクタ２１が配置されている。
【０００９】
赤外線発光素子３１Ａ及び赤外線受光素子３１Ｂは、操作子１２Ａの押下に伴う液晶プロジェクタ２１と透過型スクリーン１２Ｂとの間の距離変化を計測するためのものである。液晶プロジェクタ２１は、この距離変化に応じて焦点調節を行う。
【００１０】
そして、液晶プロジェクタ２１は、予め記憶されたボタン演出用データに基づき、静止画や動画等の映像を透過型スクリーン１２Ｂに投影する。したがって、操作子１２Ａの表面に現れる当該映像を遊技者は認識でき、従来には無かった表現力豊かな演出が可能となる。
【符号の説明】
【００１１】
１２  ボタンスイッチ
１２Ａ  操作子
１２Ｂ  透過型スクリーン
２１  液晶プロジェクタ
【図１】
2013165759.tif 000003
【図２】
2013165759.tif 000004
(57)【要約】【課題】米は日本の主食であるにもかかわらず、消費者の食生活の欧米化が進んでおり、米離れ傾向にある。そこで米食品に昔ながらの燻製製造方法で燻製調理米にすることにより、燻製の香りと風味を楽しむことができる新規な米食品の製造方法を提供することにある。【解決手段】本発明は、精米度が７０から９０％とする玄米を精米する段階のあとに、その白米を燻煙する段階を備えることを特徴とする燻製米の製造方法である。【特許請求の範囲】
【請求項１】
精米度が７０から９０％とする玄米を精米する段階のあとに、その白米を燻煙する段階を備えることを特徴とする燻製米の製造方法。
【発明の詳細な説明】
【技術分野】
【０００１】本発明は、燻製米の製造方法に関する。
【背景技術】
【０００２】米は日本の主食であるにもかかわらず、消費者の食生活の欧米化が進んでおり、米離れ傾向にある。【０００３】そこで、燻製の香りと風味を楽しむことができる日本産の新規な米食品の製造方法を提供することにある。【０００４】スモークライスが公知（特許文献１）となっているが、生米を食するには炊飯などの調理をする際、米を洗う又は研ぐという工程があり、その段階でスモークの風味が落ちてしまう。
【先行技術文献】
【特許文献】
【０００５】
【特許文献１】米国特許第６８３５４０３号公報
【発明の概要】
【発明が解決しようとする課題】
【０００６】そこで、本発明の目的は、燻製の香りと風味を有する燻製米の製造方法を提供することにある。
【課題を解決するための手段】
【０００７】本発明は、精米度が７０から９０％とする玄米を精米する段階のあとに、その白米を燻煙する段階を備えることを特徴とする燻製米の製造方法である。
【発明の効果】
【０００８】本発明によれば精米度が７０から９０％とする段階で精米処理された白米を燻製すると米を研ぐ作業がいらないため燻製の香りと風味を強く保持している。
そのため、調理の方法が白米を家庭で扱うように調理の幅が広がり消費者の食生活の欧米化の、米離れ傾向を回避し、日本産米の需要が広がることが出来る。
【発明を実施するための形態】
【実施例】
【実施例１】
【０００９】秋田県産ひとめぼれの玄米を精米度７５％で精米した白米を約４０度の温度で５時間燻製し、１日常温保管した燻製米を得た。【００１０】実施例１の燻製米を、冷水で一度白米のごみ、ほこりを取り除く程度洗い炊き上げ食味を確認した。ぬかの臭みも無く米本来の旨味、特徴を残しつつ燻製の風味も落ちることなく美味しく食することが出来た。
【実施例２】
【００１１】秋田県産ひとめぼれの玄米を精米度８５％で精米した白米を約４０度の温度で５時間燻製し、１日常温保管した燻製米を得た。【００１２】実施例２の燻製米を、冷水で一度白米のごみ、ほこりを取り除く程度洗い炊き上げ食味を確認した。ぬかの臭みも無く米本来の旨味、特徴を残しつつ燻製の風味も落ちることなく美味しく食することが出来た。【００１３】（比較例１）
玄米の精米度６５％で精米した白米を燻煙し、１日常温保管した燻製米を得た。【００１４】比較例１の燻製米を、冷水で一度白米のごみ、ほこりを取り除く程度洗い炊き上げ食味を確認した。米の粒が小さく主食の米として食するには不経済である、また米本来の風味が減ってしまい美味しく食することが出来なかった。【００１５】（比較例２）
玄米の精米度９５％で精米した白米を燻煙し、１日常温保管した燻製米を得た。【００１６】比較例２の燻製米を、冷水で一度白米のごみ、ほこりを取り除く程度洗い炊き上げ食味を確認した。ぬか切れが悪く炊き上がりも、ぬかの臭みが残り美味しく食することが出来なかった。
(57)【要約】【課題】  従来のペットフードやサプリメントでは、ペットである犬や猫の必要栄養素の変化に対応できず、栄養補給の与え方がスムーズでは無かった。【解決手段】  亜鉛を多く含み栄養バランスに優れ嗜好性のある乾燥牡蠣を与えることで、簡単に犬や猫に栄養補給が可能となり、保存性を高める為にアルミ製ジップ付袋に脱酸素剤を同包する事で、長期間の保存が可能となる。【特許請求の範囲】
【請求項１】
乾燥牡蠣をペットである犬や猫に与える事で、天然の栄養素である亜鉛やその他の栄養素を簡単に与える事ができる。
【請求項２】
乾燥牡蠣を長期保存する為に、アルミ製のジップ付袋に入れ、脱酸素剤を同包する。
【発明の詳細な説明】
【技術分野】
【０００１】  本発明は、ペットとしての犬や猫に、栄養バランスに優れ、特に亜鉛を多量に含有している乾燥させた牡蠣を与えることに関する。
【背景技術】
【０００２】  従来のペットフードに配合されている栄養素は常に一定量であり、ペットの体調や季節変化の栄養必要量に対応が難しく、特に被毛の生え変わり時期である春の３月から５月と秋の９月から１１月までの換毛期に毛を構成するケラチンを造り出す栄養素である亜鉛を大量に必要とする。【０００３】  栄養補助食品であるサプリメントは、粉状か粒状の携帯であり、犬や猫にこのサプリメントを単独で与えるのは困難である。そこで、ペットフードにサプリメントを混ぜて与えているが、ペットフードに配合されている穀類に含有しているフィチン酸が亜鉛の吸収を阻害している。
【発明の概要】
【発明が解決しようとする課題】
【０００４】  以上に述べた従来のペットフードやサプリメントでは、犬や猫に必要な栄養素である亜鉛やその他の栄養素を簡単に単独で与えるペット用飼料が無かった。【０００５】  本発明は、このように従来の問題を解決しようとするものであり、簡単に栄養素である亜鉛やその他の栄養素を補給実現することを目的とするものである。
【課題を解決する為の手段】
【０００６】  本発明は前記目的を達成する為に、一般食品の中で最も亜鉛を多く含有している牡蠣を乾燥することで保存性を高め、牡蠣１個の大きさを５ｇ以下とし、海産物特有の匂いにより食欲を誘い、人の手から犬や猫に簡単に給与が可能となる。
【０００７】  第２の課題解決手段として、乾燥牡蠣は水分を２０％から２５％前後含有している為に、より保存性を高める手段として、防湿性と酸素バリアーに優れたアルミ製のジップ付の袋を使用し、脱酸素剤を同包する。
【発明の効果】
【０００８】  上述したように本発明はペットである犬や猫に乾燥牡蠣を与える事で、必要な亜鉛やその他の栄養素が簡単に摂取可能となる。